(57)【要約】  押圧荷重に応じて複数段階の入力を受け付ける電子機器であって、荷重検出部が、第１段階の入力を受け付ける荷重基準を満たす押圧荷重を検出すると、被写体に対して焦点を自動で調整するオートフォーカス処理を行い、前記荷重基準より高い第２段階の入力を受け付ける荷重基準を満たす押圧荷重を検出すると、静止撮像画像を取得するように制御する制御部と、を備え、制御部は、オートフォーカス処理を開始したときから被写体に対する焦点の調整が完了するときまでの間に、荷重検出部が、前記第２段階の入力を受け付ける荷重基準を満たす押圧荷重を検出した場合には、静止撮像画像を取得しないように制御する。
2011102192.tif 000002
【特許請求の範囲】
【請求項１】
押圧荷重に応じて複数段階の入力を受け付ける電子機器であって、
被写体を撮像する撮像部と、
押圧による入力の押圧荷重を検出する荷重検出部と、
前記荷重検出部が、第１段階の入力を受け付ける荷重基準を満たす押圧荷重を検出すると、被写体に対して焦点を自動で調整するオートフォーカス処理を行い、前記荷重基準より高い第２段階の入力を受け付ける荷重基準を満たす押圧荷重を検出すると、静止撮像画像を取得するように制御する制御部と、を備え、
前記制御部は、オートフォーカス処理を開始したときから被写体に対する焦点の調整が完了するときまでの間に、前記荷重検出部が、前記第２段階の入力を受け付ける荷重基準を満たす押圧荷重を検出した場合には、静止撮像画像を取得しないように制御することを特徴とする電子機器。
【請求項２】
前記制御部は、被写体に対する焦点の調整が完了した際に、前記荷重検出部が検出している押圧荷重より高い荷重基準を、第２段階の入力を受け付ける荷重基準として設定するように制御することを特徴とする請求項１に記載の電子機器。
【請求項３】
押圧荷重に応じて複数段階の入力を受け付ける電子機器であって、
被写体を撮像する撮像部と、
押圧による入力の押圧荷重を検出する荷重検出部と、
前記荷重検出部が、第１段階の入力を受け付ける荷重基準を満たす押圧荷重を検出すると、被写体に対して焦点を自動で調整するオートフォーカス処理を行い、前記荷重基準より高い第２段階の入力を受け付ける荷重基準を満たす押圧荷重を検出すると、静止撮像画像を取得するように制御する制御部と、を備え、
前記制御部は、オートフォーカス処理を開始したときから被写体に対する焦点の調整が完了するときまでの間、前記荷重検出部が、押圧荷重を検出しないように制御することを特徴とする電子機器。
【請求項４】
前記制御部は、被写体に対する焦点の調整が完了した際に、前記荷重検出部が検出している押圧荷重より高い荷重基準を、第２段階の入力を受け付ける荷重基準として設定するように制御することを特徴とする請求項３に記載の電子機器。
【請求項５】
押圧荷重に応じて複数段階の入力を受け付ける電子機器であって、
被写体を撮像する撮像部と、
押圧による入力の押圧荷重を検出する荷重検出部と、
前記荷重検出部が、入力を受け付ける荷重基準を満たす押圧荷重を検出すると、被写体に対して焦点を自動で調整するオートフォーカス処理を行うように前記撮像部を制御する制御部と、を備え、
前記制御部は、オートフォーカス処理を開始したときから被写体に対する焦点の調整が完了するときまでの間、前記荷重検出部が、押圧荷重を検出しないように制御し、被写体に対する焦点の調整が完了した後には、前記荷重検出部が、単位時間当たりの所定荷重変化量を超える荷重変化量を検出すると、静止撮像画像を取得するように制御することを特徴とする電子機器。
【発明の詳細な説明】
【技術分野】
【０００１】
本発明は、電子機器に関するものであり、特に、押圧荷重に応じて、入力を複数段階で受け付ける電子機器に関するものである。
【背景技術】
【０００２】
従来、携帯電話機やデジタルカメラ等の電子機器には、ユーザが操作入力を行うための入力装置として、タクトスイッチやメンブレンスイッチ等のメカスイッチ（メカニカルスイッチ）が使用されている。特に、最近では、小型の端末機器に種々の多彩な機能が搭載されていることが多く、そのような端末機器の筐体表面には、各種のスイッチで構成されるキーやボタンなどが配設されている。【０００３】
このようなスイッチは、通常、１つのスイッチに対して１つの動作（またはプログラム）が割り当てられている。例えば、携帯電話機の場合、テンキーに対して押圧入力が検知されると、各キーに対応する数字が出力されたり、またメニューキーに対して押圧入力が検知されると、メニュー画面が表示されたりする。【０００４】
しかしながら、複数の動作を連続して行いたい場合などに、ひとつひとつの動作を、それぞれの動作が割り当てられた別個のスイッチを用いて行うと、非常に手間がかかり面倒な操作となる場合がある。そこで、１つのスイッチを使用して、そのスイッチに入力が検知されるたびに複数の動作が順番に実行されるような設定が考えられるが、このような入力方式の場合、動作が実行される順番を予め規定しなければならない。そのため、ユーザが所望する任意の動作が即座に実行されるような操作を行うことはできない。【０００５】
以上のような問題に対処し得るものとして、１つのスイッチに対する入力の態様に応じて、複数の動作を割り当てることができる入力装置が提案されている（例えば、特許文献１参照）。【０００６】
この特許文献１に記載の入力装置は、操作を行う際の入力にかかる押圧荷重に応じて、入力を２段階で受け付けることができる。【０００７】
図８は、特許文献１に記載の操作装置１００の内部構造を概略的に示す断面図である。図８に示すように、この操作装置１００は、第１の検出手段２００および第２の検出手段３００共にメンブレンスイッチで構成されており、第１の検出手段２００の（押圧する方向の）下方に、第２の検出手段３００を設けている。ユーザの指Ｆが直接触れる部分は可撓性の部材で構成され、ユーザが操作装置１００を押圧すると、この可撓性部材が撓むことにより、その押圧荷重を第１の検出手段２００に伝達する。ユーザが指Ｆを低加重（第１の操作力）で第１の接点Ｓ３に対応する位置を押し下げると、第１の上側導電部２０１ｃと第１の下側導電部２０２ｃとが互いに接触して第１の接点Ｓ３が導通し、これを第１段階の入力としている。さらに、前記低加重よりも大きな高加重（第２の操作力）をかけて指Ｆを押し下げると、第２の上側導電部３０１ｃと第２の下側導電部３０２ｃとが接触して第２の接点Ｔ３が導通し、これを第２段階の入力としている。なお、図８においては、操作装置１００に対してユーザの指Ｆの第２の操作力による押圧が行われることにより、第１の接点Ｓ３が第１段階の入力の検知のみならず、第２の接点Ｔ３が第２段階の入力まで検知した様子を示している。【０００８】
このような入力装置は、ユーザの入力の押圧荷重に応じて入力を２段階で受け付けることにより、これらの各段階に異なる動作を割り当てることができる。このような入力装置を用いることにより、ユーザは、１つのスイッチ（入力装置）を用いて、このスイッチに対して押圧入力を行うという１つの動作を行う際の押圧力を調整することにより、複数の入力を区別して行うことができる。【０００９】
すなわち、このような２段階の入力を受け付ける入力装置によれば、ユーザが弱い押圧力によってボタンを押圧する状態を保つことにより、１段目の入力を行うことができる。このような入力状態は、「半押し」とも称され、以下、「第１段階の入力」と記す。また、このような入力装置によれば、ユーザが第１段階の入力よりも強い押圧力によってボタンを押し込むことにより、２段目の入力を行うことができる。このような入力状態は、「全押し」とも称され、以下、「第２段階の入力」と記す。【００１０】
このようなメカスイッチにより、押圧荷重に応じて２段階で入力を受け付ける入力装置の典型的な用途の例として、カメラのシャッターボタンが存在する。通常、デジタルカメラなどの機能を搭載した携帯端末などにおいては、ユーザが第１段階の入力を行う「半押し」の入力を行うことにより、オートフォーカス処理をオンにすることができる。その状態で、ユーザが第２段階の入力を行う「全押し」の入力を行うことにより、シャッターを切る動作を行い、静止撮像画像を取得することができる。このように、第１段階の入力と、第２段階の入力とで異なる動作を割り当てることができ、なおかつ、ユーザは、その異なる動作を所望に応じて区別して操作することができる。【００１１】
なお、押圧荷重に応じて複数段階の入力を受け付ける入力装置は、メカスイッチに限定されるものではない。例えば、表示装置と位置入力装置とを組み合わせて構成したタッチパネル式の入力装置においても、ソフトウェアによる処理を行うことにより、押圧荷重に応じて複数段階の入力を受け付ける入力装置が提案されている（例えば、特許文献２参照）。【００１２】
この特許文献２に記載のタッチパネル式入力装置は、表示画面の表面部に設けられるタッチパネルの押圧操作位置を検出する位置検出手段と、タッチパネルに対する押圧操作力を検出する圧力検出手段とを備えている。この入力装置は、タッチパネルの１回の押圧操作により、位置検出手段の検出位置に応じた入力と、圧力検出手段の検出に応じた多段階の入力との２系統の入力を行うことができる。【００１３】
この入力装置によれば、ユーザが表示画面上のタッチパネルを押圧操作した際に、その押圧操作位置によって、第１系統の入力を行うことができ、同時に、その際のタッチパネルに対する押圧力によって、第２系統の入力を行うことができる。したがって、ユーザは、タッチパネルに１回の押圧操作を行うことにより、２系統の入力を行うことができ、押圧操作を行う回数を低減することができる。【００１４】
このように、メカスイッチを用いた入力装置においても、またタッチパネルを用いた入力装置においても、押圧荷重に応じて複数段階で入力を受け付けることができる。このような入力装置では、押圧荷重に応じて入力を複数段階に区別して受け付けることにより、複数の機能を１つのボタンやキーに集約できるため、操作入力に係るキーやボタンの数を低減することができる。特に、携帯端末のような小型の端末の場合には、端末の筐体が小型であるため、あまり多くのキーやボタンを端末本体に配設することは困難である。したがって、携帯端末において、少ないキーやボタンを用いることにより複数の機能を使い分けることができれば、端末本体に配設しなければならないキーやボタンを減らすことができる。
【先行技術文献】
【特許文献】
【００１５】
【特許文献１】特開２００６−１３４６０９号公報
【特許文献２】特開２００６−０３９７４５号公報
【発明の概要】
【００１６】
しかしながら、特許文献１に記載の操作装置１００においては、第１の検出手段２００のメンブレンスイッチおよび第２の検出手段３００のメンブレンスイッチのそれぞれの配置構成などの各仕様は、設計時または製造時に既に規定されているものである。また、メンブレンスイッチを構成する部材の可撓性の度合いなども、製品製造時に決まるものであり、このような構成の仕様を後から変更することは一般に困難である。
【００１７】
そのため、このような入力装置において、どの程度の押圧荷重により第１段階の入力が受け付けられ、またどの程度の押圧荷重により第２段階の入力が受け付けられるのかは、ユーザが実際に入力操作を行い、試行錯誤により感覚的に把握するしかない。すなわち、入力装置が要求する規定された押圧荷重に、それぞれのユーザが、自らの押圧力を適合させる必要がある。
【００１８】
一般に、細かい作業や、手先の微妙な力加減の調整は、ユーザの得手不得手による個人差が激しい。したがって、手先の器用な人にとっては特別な困難なく自然に行うことができるような態様の入力操作であっても、一般的な全てのユーザがそのような入力操作に即座に対応できるとは限らない。
【００１９】
そのため、ユーザは入力装置に第１段階の入力のみに留めたいにもかかわらず、微妙な力加減の適切な調整ができずに押圧力を加え過ぎてしまい、意図せずに第２段階の入力までしてしまう虞がある。特に、押圧による入力操作を行う際の荷重の程度は、ユーザが目視できるものではないため、ユーザはどの程度の押圧力を調整すれば、各段階の入力が受け付けられるのかを正確に把握することは困難である。
【００２０】
このような事情は、上記特許文献２の場合においても同様である。特許文献２に記載のタッチパネル式入力装置は、圧力検出手段が受け付ける押圧荷重の閾値を予め設定しておかなければ、押圧荷重に応じて複数段階で入力を区別して受け付けることはできない。したがって、入力装置が要求する規定された押圧荷重に、それぞれのユーザが、自らの押圧力を適合させなければならない。そのため、ユーザによっては、やはり微妙な力加減の適切な調整ができずに押圧力を加え過ぎてしまい、第１段階の入力で留めたいにもかかわらず、意図せずに第２段階の入力までしてしまうという問題がある。
【００２１】
このように、ユーザの意図しない入力がなされてしまうと、このような操作入力は、入力装置にとっては正当な処理手順にしたがって動作を行っているだけであるが、ユーザにとっては誤動作でしかない。上記した入力装置をカメラのシャッターボタンに適用した場合、ユーザの押圧力の調整が適切になされずに、第１段階の入力を超えて一気に第２段階の入力まで受け付けてしまうと、オートフォーカス処理が適切に動作し完了する前にシャッターを切ってしまう。この場合、オートフォーカス処理が適切に動作せずに、ピント外れの（被写体に焦点が合っていない）静止撮像画像が取得されてしまう虞がある。
【００２２】
したがって、かかる事情に鑑みてなされた本発明の目的は、押圧荷重に応じて入力を受け付ける電子機器であって、オートフォーカス処理が適切に動作せずに、ピント外れの静止撮像画像が取得されてしまう虞を低減する電子機器を提供することにある。
【００２３】
上記した課題を解決すべく、第１の発明による電子機器は、押圧荷重に応じて複数段階の入力を受け付ける電子機器であって、被写体を撮像する撮像部と、押圧による入力の押圧荷重を検出する荷重検出部と、前記荷重検出部が、第１段階の入力を受け付ける荷重基準を満たす押圧荷重を検出すると、被写体に対して焦点を自動で調整するオートフォーカス処理を行い、前記荷重基準より高い第２段階の入力を受け付ける荷重基準を満たす押圧荷重を検出すると、静止撮像画像を取得するように制御する制御部と、を備え、前記制御部は、オートフォーカス処理を開始したときから被写体に対する焦点の調整が完了するときまでの間に、前記荷重検出部が、前記第２段階の入力を受け付ける荷重基準を満たす押圧荷重を検出した場合には、静止撮像画像を取得しないように制御することを特徴とする。
【００２４】
また、第２の発明による電子機器は、前記制御部は、被写体に対する焦点の調整が完了した際に、前記荷重検出部が検出している押圧荷重より高い荷重基準を、第２段階の入力を受け付ける荷重基準として設定するように制御することを特徴とする。
【００２５】
また、第３の発明による電子機器は、押圧荷重に応じて複数段階の入力を受け付ける電子機器であって、被写体を撮像する撮像部と、押圧による入力の押圧荷重を検出する荷重検出部と、前記荷重検出部が、第１段階の入力を受け付ける荷重基準を満たす押圧荷重を検出すると、被写体に対して焦点を自動で調整するオートフォーカス処理を行い、前記荷重基準より高い第２段階の入力を受け付ける荷重基準を満たす押圧荷重を検出すると、静止撮像画像を取得するように制御する制御部と、を備え、前記制御部は、オートフォーカス処理を開始したときから被写体に対する焦点の調整が完了するときまでの間、前記荷重検出部が、押圧荷重を検出しないように制御することを特徴とする。
【００２６】
また、第４の発明による電子機器は、前記制御部は、被写体に対する焦点の調整が完了した際に、前記荷重検出部が検出している押圧荷重より高い荷重基準を、第２段階の入力を受け付ける荷重基準として設定するように制御することを特徴とする。
【００２７】
また、第５の発明による電子機器は、押圧荷重に応じて複数段階の入力を受け付ける電子機器であって、被写体を撮像する撮像部と、押圧による入力の押圧荷重を検出する荷重検出部と、前記荷重検出部が、入力を受け付ける荷重基準を満たす押圧荷重を検出すると、被写体に対して焦点を自動で調整するオートフォーカス処理を行うように前記撮像部を制御する制御部と、を備え、前記制御部は、オートフォーカス処理を開始したときから被写体に対する焦点の調整が完了するときまでの間、前記荷重検出部が、押圧荷重を検出しないように制御し、被写体に対する焦点の調整が完了した後には、前記荷重検出部が、単位時間当たりの所定荷重変化量を超える荷重変化量を検出すると、静止撮像画像を取得するように制御することを特徴とする。
【００２８】
上述した電子機器によれば、オートフォーカス処理を開始したときから被写体に対する焦点の調整が完了するときまでの間に、静止撮像画像を取得しないので、オートフォーカス処理が適切に動作せずに、ピント外れの静止撮像画像が取得されてしまう虞を低減することができる。
【図面の簡単な説明】
【００２９】
【図１】本発明の実施の形態に係る電子機器の機能ブロック図である。
【図２】本発明の第１実施の形態に係る電子機器による入力処理を説明するフローチャートである。
【図３】本発明の第１実施の形態に係る電子機器の荷重検出部によって検出される押圧荷重が変化する様子を表したグラフである。
【図４】本発明の第２実施の形態に係る電子機器による入力処理を説明するフローチャートである。
【図５】本発明の第２実施の形態に係る電子機器の荷重検出部によって検出される押圧荷重が変化する様子を表したグラフである。
【図６】本発明の第３実施の形態に係る電子機器による入力処理を説明するフローチャートである。
【図７】本発明の第３実施の形態に係る電子機器の荷重検出部によって検出される押圧荷重が変化する様子を表したグラフである。
【図８】従来技術による操作装置の内部構造を概略的に示す断面図である。
【符号の説明】
【００３０】
１１  タッチセンサ
１１ａ  タッチ面
１２  荷重検出部
１３  触感呈示部
１４  撮像部
１５  表示部
１６  記憶部
１７  制御部
【発明を実施するための形態】
【００３１】
以下、本発明に係る電子機器の実施の形態について、図を参照して説明する。
【００３２】
（第１実施の形態）
図１は、本発明の実施の形態に係る電子機器の機能ブロック図である。図１に示すように、電子機器は、タッチセンサ１１、荷重検出部１２、触感呈示部１３、撮像部１４、記憶部１５、表示部１６、および、全体の動作を制御する制御部１７を有する。
【００３３】
タッチセンサ１１は、そのタッチ面１１ａに対する指やスタイラスペンなどのタッチ対象によるタッチを検出するもので、抵抗膜方式、静電容量方式、光学式等で構成して、表示部１６上に配置する。荷重検出部１２は、押圧による入力の押圧荷重を検出するものであり、例えば、タッチセンサ１１のタッチ面１１ａに対する押圧荷重を検出する。荷重検出部１２は、例えば、歪みゲージセンサや圧電素子等の荷重に対して反応する素子を用いて構成する。触感呈示部１３は、タッチセンサ１１を振動させるもので、例えば、圧電素子を用いて構成する。
【００３４】
撮像部１４は、撮像レンズ、ズームレンズ、フォーカスレンズおよび絞り等の光学系、ＣＣＤ（Charge Coupled Device）やＣＭＯＳ（Complementary Metal Oxide Semiconductor）等の固体撮像素子で構成され、ユーザは、かかる撮像部１４により被写体を撮像することができる。
【００３５】
記憶部１５は、各種アプリケーションおよび入力された各種情報などを記憶するとともに、ワークメモリなどとしても機能する。特に、本実施の形態では、記憶部１５は各段階の入力を受け付ける荷重基準および入力の受け付けを解除する荷重基準を記憶するとともに、荷重検出部１２が検出するタッチ面１１ａに対する押圧荷重などを、制御部１７が処理するために一時的に記憶する。
【００３６】
表示部１６は、種々の入力用オブジェクト等を表示するもので、例えば、液晶表示パネルや有機ＥＬ表示パネル等を用いて構成する。また、特に、本実施の形態では、撮像部１４から出力される撮像信号に基づいて、撮像画像を表示する。表示部１６による表示態様としては、リアルタイムに撮像画像を動撮像画像として表示する、いわゆるライブビュー機能による表示態様や、撮像画像をいわゆるシャッターを切る動作（静止撮像画像を取得する動作）により静止撮像画像として表示する態様がある。また、表示部１６にライブビュー機能により表示された被写体に対するタッチ対象によるタッチは、タッチセンサ１１から出力される位置情報に基づいて制御部１７により検出される。
【００３７】
制御部１７は、例えばＣＰＵ等からなり、タッチセンサ１１からの位置情報、荷重検出部１２からの押圧荷重情報に基づいて各部の動作を制御する。また、制御部１７は、撮像部１４の光学系を制御し、被写体に対する焦点を自動で調整するオートフォーカス処理を行う。オートフォーカス処理自体は周知技術であるので、オートフォーカス処理の種別については本発明では特に限定を行わず、種々のオートフォーカス処理を適用することができる。また、表示部１６にライブビュー機能により表示された被写体に対するタッチ対象によるタッチを検出すると、かかる被写体に対するオートフォーカス処理を開始することができる。
【００３８】
次に、本実施の形態に係る電子機器による入力処理について説明する。図２は、本実施の形態に係る電子機器による入力処理の流れを説明するフローチャートである。本処理は、撮像機能が起動しており、表示部１６にはいわゆるライブビュー機能により被写体を含む撮像画像が表示されているものとする。
【００３９】
先ず、制御部１７は、タッチセンサ１１のタッチ面１１ａに対する指等のタッチ対象によるタッチを検出し、さらに、荷重検出部１２により検出される指等のタッチ対象によるタッチに係る押圧荷重が第１段階の入力を受け付ける荷重基準（「第１の入力受付荷重基準」と称する）Ｆａ１を満たしているか否か判断する（ステップＳ１０１）。荷重検出部１２により検出される押圧荷重が第１の入力受付荷重基準Ｆａ１を満たしている場合、制御部１７は、第１段階の入力を受け付ける（ステップＳ１０２）。
【００４０】
次に、制御部１７は、第１段階の入力が受け付けられたことをユーザに通知するために、タッチ面１１ａをタッチしている指に対して触感Ａを呈示するように触感呈示部１３を制御する（ステップＳ１０３）。ステップＳ１０３の後、制御部１７は、荷重検出部１２により検出されるタッチ対象によるタッチに係る押圧荷重が、第１段階の入力の受け付けを解除する第１の荷重基準（「第１の入力解除荷重基準」と称する）Ｆｒ１を満たし、かつ、第１の入力解除荷重基準Ｆｒ１および第１の入力受付荷重基準Ｆａ１より高い第２段階の入力を受け付ける第２の荷重基準（「第２の入力受付荷重基準」と称する）Ｆａ２を満たしていないか否か判断する（ステップＳ１０４）。ここで、制御部１７は、荷重検出部１２により検出されるタッチ対象によるタッチに係る押圧荷重が、第１の入力解除荷重基準Ｆｒ１を満たし、かつ、第２の入力受付荷重基準Ｆａ２を満たしていないと判断すると、ステップＳ１０５に進み、そのように判断されないと、ステップＳ１１９に進む。
【００４１】
ステップＳ１０５では、制御部１７は、荷重検出部１２が第１の入力解除荷重基準Ｆｒ１を満たし、かつ、第２の入力受付荷重基準Ｆａ２を満たしていない押圧荷重を所定時間連続して検出しているか否か判断する（ステップＳ１０５）。ステップＳ１０５で、荷重検出部１２が、第１の入力解除荷重基準Ｆｒ１を満たし、かつ、第２の入力受付荷重基準Ｆａ２を満たしていない押圧荷重を所定時間連続して検出していると判断されると、ステップＳ１０６に進み、所定時間連続して検出されていないと判断されると、ステップＳ１０４に戻る。
【００４２】
ステップＳ１０６にて、制御部１７は、撮像部１４の光学系等を制御して、被写体に焦点が自動で調整されるようにオートフォーカス処理を開始する。ここで、焦点が自動で調整される対象である被写体は、ユーザが、表示部１６にライブビュー機能により表示される被写体に対してタッチすることにより決定されてもよい。ステップＳ１０６の後、制御部１７は、撮像部１４の光学系等を制御することにより被写体に対する焦点の調整が完了した（被写体に焦点が合った）か否か判断する（ステップＳ１０７）。被写体に対する焦点の調整が完了したと判断されると、制御部１７は、ユーザに被写体に対する焦点の調整が完了したことを通知するために、タッチ面１１ａをタッチしている指等のタッチ対象に対して触感Ｂを呈示するように触感呈示部１３を制御する（ステップＳ１０８）。ここで、タッチ対象に対して呈示する触感Ｂは、触感Ａと同じ触感であってもよいし、異なる触感であってもよい。
【００４３】
ステップＳ１０８の後、制御部１７は、被写体に対する焦点の調整が完了した際に荷重検出部１２が検出している押圧荷重に基づき、新たに第２の入力受付荷重基準Ｆａ’２（変更後の第２の入力受付荷重基準Ｆａ’２）を設定する（ステップＳ１０９）。新たに設定される第２の入力受付荷重基準Ｆａ’２は、被写体に対する焦点の調整が完了した際に荷重検出部１２が検出している押圧荷重より高い荷重基準とする。
【００４４】
一方、ステップＳ１０７にて、被写体に対する焦点の調整が完了していないと判断されると、制御部１７は、荷重検出部１２が検出する押圧荷重が、第１の入力解除荷重基準Ｆｒ１を満たさないか否か判断する（ステップＳ１１０）。荷重検出部１２が検出する押圧荷重が、第１の入力解除荷重基準Ｆｒ１を満たさないと判断されると、ステップＳ１１６に進み、満たすと判断されると、ステップＳ１０７に戻る。
【００４５】
一方、ステップＳ１０９にて、新たに第２の入力受付荷重基準Ｆａ’２を設定したのち、制御部１７は、荷重検出部１２が検出する押圧荷重が、この変更後の第２の入力受付荷重基準Ｆａ’２を満たすか否か判断する（ステップＳ１１１）。ステップＳ１１１にて、荷重検出部１２が検出する押圧荷重が、この変更後の第２の入力受付荷重基準Ｆａ’２を満たすと判断されると、第２の入力を受け付け（ステップＳ１１２）、被写体を含む静止撮像画像を取得する（ステップＳ１１３）。ここで、静止撮像画像の取得とは、例えば、記憶部１５のＲＡＭ等に一時的に保存する態様であったり、ＲＯＭ等に保存する態様であったりする。
【００４６】
ステップＳ１１３の後、制御部１７は、ユーザに静止撮像画像を取得したことを通知するために、タッチ面１１ａをタッチしている指等のタッチ対象に対して触感Ｃを呈示するように触感呈示部１３を制御し（ステップＳ１１４）、本処理を終了する。なお、タッチ対象に対して呈示する触感Ｃは、触感Ａまたは触感Ｂと同じ触感であってもよいし、異なる触感であってもよい。
【００４７】
一方、ステップＳ１１１にて、制御部１７は、荷重検出部１２により検出される押圧荷重が、この変更後の第２の入力受付荷重基準Ｆａ’２を満さないと判断されると、次に、第１の入力解除荷重基準Ｆｒ１を満たさないか否か判断される（ステップＳ１１５）。ここで、第１の入力解除荷重基準Ｆｒ１を満たさないと判断されると、第１の入力の受け付けを解除し（ステップＳ１１６）、オートフォーカス処理を停止する（ステップＳ１１７）。そして、ステップＳ１１７の後、制御部１７は、ユーザにオートフォーカス処理が停止したことを通知するために、タッチ面１１ａをタッチしている指等のタッチ対象に対して触感Ｄを呈示するように触感呈示部１３を制御し（ステップＳ１１８）、本処理を終了する。なお、タッチ対象に対して呈示する触感Ｄは、触感Ａ、触感Ｂ、または触感Ｃと同じ触感であってもよいし、異なる触感であってもよい。
【００４８】
一方、ステップＳ１０４にて、制御部１７は、荷重検出部１２が第１の入力解除荷重基準Ｆｒ１を満たし、かつ、第２の入力受付荷重基準Ｆａ２を満たしていない押圧荷重を検出していないと判断すると、ステップＳ１１９に進む。制御部１７は、荷重検出部１２により検出される押圧荷重が第２の入力受付荷重基準Ｆａ２を満たしているか否か判断し、満たしていると判断するとステップＳ１１２に進み、満たしていないと判断すると、ステップＳ１１６に進む。
【００４９】
図３は、荷重検出部１２により検出される押圧荷重が変化する様子を表したグラフである。Ｘ軸方向は時間の推移を表し、Ｙ軸方向は荷重検出部１２が検出する押圧荷重を表す。図３において、ユーザがタッチセンサ１１のタッチ面１１ａをタッチした時点が原点であり、その時の押圧荷重は０である。
【００５０】
ユーザが、タッチ面１１ａにタッチした後、押圧力をタッチ面１１ａに加えることにより、荷重検出部１２が検出する押圧荷重が時間と共に増加する。ｔ１の時点で、荷重検出部１２が検出する押圧荷重が第１の入力受付荷重基準Ｆａ１に達し（を満たし）、第１段階の入力が受け付けられる。この際、制御部１７は、タッチ面１１ａをタッチしているタッチ対象に対して触感を呈示するように触感呈示部１３を制御することにより、ユーザは、第１段階の入力が受け付けられたことを知ることができる。
【００５１】
ユーザは、その後、荷重検出部１２に、所定時間第１の入力解除荷重基準Ｆｒ１を満たし、かつ、第２の入力受付荷重基準Ｆａ２を満たしていない押圧荷重を検出するように押圧力を調整することにより、ｔ２の時点から、制御部１７によりオートフォーカス処理が開始される。制御部１７は、オートフォーカス処理が開始されると、被写体に対する焦点の調整が完了するまでは、静止撮像画像を取得するに適していないとして、たとえ、荷重検出部１２が、第２の入力受付荷重基準Ｆａ２を満たす押圧荷重を検出しても（ｔ３の時点）、被写体を含む静止撮像画像を取得しないように制御する。このように制御することにより、被写体に焦点があっていない静止撮像画像が誤って取得されることがない。
【００５２】
ｔ４の時点で、オートフォーカス処理により、被写体に対する焦点の調整が完了した場合、その際に荷重検出部１２が検出していた押圧荷重に基づき新たな第２の入力受付荷重基準Ｆａ’２を設定する。変更後の第２の入力受付荷重基準Ｆａ’２を用いることなく、変更前の第２の入力受付荷重基準Ｆａ２に基づき、静止撮像画像を取得するか否かを判断した場合、オートフォーカス処理か開始したときから被写体に対して焦点の調整が完了するまでの間に、変更前の第２の入力受付荷重基準Ｆａ２を満たす押圧荷重が検出され、焦点の調整が完了のときにも、荷重検出部１２が検出する押圧荷重が、変更前の第２の入力受付荷重基準Ｆａ２を満たしたままであると、焦点の調整が完了したと同時に、静止撮像画像が取得される。ユーザは、オートフォーカス処理がいつ終わるのかは、通常知りえないので、意図しないタイミングの静止撮像画像が取得されてしまう虞がある。したがって、本実施の形態においては、焦点の調整が完了した際に荷重検出部１２が検出している押圧荷重に基づき、新たな第２の入力受付荷重基準Ｆａ’２を設定する。このように、新たな第２の入力受付荷重基準を設定することにより、ユーザは、被写体に焦点が合った後に、ユーザが意図してさらに押圧力を加えなければ、静止撮像画像が取得されないようにする。
【００５３】
ユーザは、オートフォーカス処理が完了した後に、意識的に押圧力を強め、荷重検出部１２に変更後の第２の入力受付荷重基準Ｆａ’２を満たす押圧荷重を検出させることにより（ｔ５の時点）、静止撮像画像を取得することができる。
【００５４】
このように、本実施の形態によれば、オートフォーカス処理か開始したときから被写体に対して焦点の調整が完了するまでの間は、荷重検出部１２が、第２の入力受付荷重基準Ｆａ２を満たす押圧荷重を検出しても、被写体を含む静止撮像画像を取得しないように制御しているので、被写体に焦点があっていない静止撮像画像が誤って取得される虞を低減することができる。
【００５５】
（第２実施の形態）
次に、本発明の第２実施の形態に係る電子機器について説明する。本発明の第２実施の形態は、上述した第１実施の形態において、図２で説明したステップＳ１０６におけるオートフォーカス処理が開始された後の処理を変更する。第２実施の形態に係る電子機器は、第１実施の形態で説明した電子機器と同じ構成により実施することができ、制御部１７の処理および動作が異なるものである。したがって、上述した第１実施の形態と同じ説明、同じ効果の記載は適宜省略する。
【００５６】
第２実施の形態について、図４のフローチャートを用いて入力処理を説明する。なお、第１実施の形態に係る図２のフローチャートと同一の処理については、図２と同一のステップ番号を付与するとともに、その説明は省略する。
【００５７】
第２実施の形態では、制御部１７は、ステップＳ１０６にて、オートフォーカス処理を開始した後、荷重検出部１２による荷重検出を停止する（ステップＳ２０１）。荷重検出を停止したのち、オートフォーカス処理に基づき、被写体に対する焦点の調整が完了したか否かを判断し、焦点の調整が完了するまでは、次のステップには進まない（ステップＳ２０２）。ステップＳ２０２にて、被写体に対する焦点の調整が完了したと判断されると、第１実施の形態と同様にステップＳ１０８およびステップＳ１０９の処理を行う。その後、制御部１７は、荷重検出部１２による荷重検出を再開する（ステップＳ２０３）。ステップＳ２０３以降の処理は、第１実施の形態と同様である。
【００５８】
図５は、荷重検出部１２により検出される押圧荷重が変化する様子を表したグラフである。Ｘ軸方向は時間の推移を表し、Ｙ軸方向は荷重検出部１２が検出する押圧荷重を表す。図５において、ユーザがタッチセンサ１１のタッチ面１１ａをタッチした時点が原点であり、その時の押圧荷重は０である。
【００５９】
第２実施の形態において、制御部１７は、ｔ２の時点において、オートフォーカス処理が開始されると、荷重検出部１２のよる押圧荷重の検出処理を停止し、ｔ４の時点において、被写体に対する焦点の調整が完了すると、荷重検出部１２のよる押圧荷重の検出処理を再開する。したがって、オートフォーカス処理が開始したときから被写体に対する焦点の調整が完了するときまでの間、荷重検出を行っていないため、荷重検出部１２が、第２の入力受付荷重基準を満たす押圧荷重を検出することはない。よって、被写体に焦点が合っていない状態で、誤って静止撮像画像が取得される虞が低減される。
【００６０】
（第３実施の形態）
次に、本発明の第３実施の形態に係る電子機器について説明する。本発明の第３実施の形態は、第１および第２実施の形態と異なり、荷重検出部１２が、単位時間あたりの所定荷重変化量を超える荷重変化量を検出すると、制御部１７は、静止撮像画像を取得する。第３実施の形態に係る電子機器は、第２実施の形態で説明した電子機器と同じ構成により実施することができ、制御部１７の処理および動作が異なるものである。したがって、上述した第２実施の形態と同じ説明、同じ効果の記載は適宜省略する。
【００６１】
第３実施の形態について、図６のフローチャートを用いて入力処理を説明する。なお、図６のフローチャートにおいて、図２、図４の同様の処理を行うステップには、図２、図４と同じステップ番号を付与している。
【００６２】
第３実施の形態では、制御部１７は、ステップＳ１０１にて、荷重検出部１２により検出される押圧荷重が第１の入力受付荷重基準Ｆａ１を満たしていると判断すると、第１の入力を受け付け（ステップＳ１０２）、タッチ面１１ａをタッチしているタッチ対象に対して触感を呈示するように触感呈示部１３を制御する（ステップＳ３０１）。本実施の形態においては、ステップＳ３０１の後、第１および第２実施の形態に係る図２および図４のフローチャートで説明したステップＳ１０４およびステップＳ１０５の処理を省略して、ステップＳ１０６に進む。
【００６３】
また、制御部１７は、ステップＳ２０３にて、荷重検出部１２による押圧荷重の検出を再開したのち、荷重検出部１２が単位時間当たりの所定荷重変化量を超える押圧荷重の荷重変化量を検出したか否か判断する（ステップＳ３０２）。荷重検出部１２が単位時間当たりの所定荷重変化量を超える押圧荷重の荷重変化量を検出したと判断すると、第２実施の形態と同様に、ステップＳ１１２、ステップＳ１１３およびステップＳ１１４の処理を行う。一方、荷重検出部１２が単位時間当たりの所定荷重変化量を超える押圧荷重の荷重変化量を検出しなかったと判断すると、第２実施の形態と同様にステップＳ１１５の処理を行う。
【００６４】
図７は、荷重検出部１２により検出される押圧荷重が変化する様子を表したグラフである。Ｘ軸方向は時間の推移を表し、Ｙ軸方向は荷重検出部１２が検出する押圧荷重を表す。図７において、ユーザがタッチセンサ１１のタッチ面１１ａをタッチした時点が原点であり、その時の押圧荷重は０である。
【００６５】
第３実施の形態において、制御部１７は、ｔ２の時点において、オートフォーカス処理が完了された後、荷重検出部１２が単位時間当たりの所定荷重変化量を超える押圧荷重の荷重変化量を検出すると、被写体の静止撮像画像を取得する（ｔ４の時点）。
【００６６】
第３実施の形態においては、被写体に対する焦点の調整が完了したのちに、荷重検出部１２が単位時間当たりの所定荷重変化量を超える押圧荷重の荷重変化量を検出すると、静止撮像画像を取得する構成であるため、被写体に焦点が合っていない状態で、誤って静止撮像画像が取得される虞が低減される。
【００６７】
本発明を諸図面や実施例に基づき説明してきたが、当業者であれば本開示に基づき種々の変形や修正を行うことが容易であることに注意されたい。従って、これらの変形や修正は本発明の範囲内に含まれることに留意されたい。
【００６８】
本実施の形態においては、オートフォーカス処理が開始したときから被写体に対する焦点の調整が完了するときまでの間、静止撮像画像を取得しないように制御をおこなっているが、本発明はこれに限定されず、たとえば、この処理を自動露光処理に適用することが可能である。たとえば、荷重検出部１２が第１の入力受付荷重基準を満たす押圧荷重を検出すると、自動露光処理を開始し、自動露光処理を開始してから撮像部１４の絞り等を制御することにより最適な露光が決定されるときまでの間は、静止撮像画像を取得しないように制御を行ってもよい。また、同様に、荷重検出部１２が第１の入力受付荷重基準を満たす押圧荷重を検出すると、オートフォーカス処理および自動露光処理を開始し、オートフォーカス処理および自動露光処理を開始してから、被写体に対する焦点の調整が完了するときまで、および最適な露光が決定されるときのいずれか遅いときまでの間は、静止撮像画像を取得しないように制御を行ってもよい。
【００６９】
また、本発明においては、タッチセンサ１１の配設位置について特に限定されず、適宜タッチセンサ１１を配設してよい。たとえば、カメラ等のレリーズボタンの代わりに本発明に係るタッチセンサ１１を配設してもよいし、タッチセンサ１１を表示部１４に並設していわゆるタッチパネルのような構成としてもよい。
【００７０】
また、第１および第２実施の形態においては、ステップＳ１０４およびステップＳ１０５の処理を行っているが、これを省略してもよい。つまり、ステップＳ１０３の処理を行ったのちに、ステップＳ１０６の処理を行う。このように構成することにより、荷重検出部１２が第１の入力受付荷重基準を満たす押圧荷重を検出すると、所定時間を経過する前にオートフォーカス処理が開始する。
【００７１】
また、本実施形態の説明における表示部１６およびタッチセンサ１１は、両機能を共通の基板に持たせることにより一体化した装置によって構成されてもよい。このような表示部１６とタッチセンサ１１との両機能を一体化した装置の構成の一例としては、液晶パネルが有するマトリクス状配列の画素電極群に、フォトダイオード等の複数の光電変換素子を規則的に混在させたものがある。この装置は、液晶パネル構造によって画像を表示する一方で、パネル表面の所望位置をタッチ入力するペンの先端で液晶表示用のバックライトの光を反射し、この反射光を周辺の光電変換素子が受光することにより、タッチ位置を検出することができる。
【００７２】
また、圧電素子は、圧力が加わると電力を発生し、電力が加えられると変形するため、圧電素子を用いて荷重検出部１２と触感呈示部１３を共用して構成することができる。あるいは、タッチセンサ１１は、抵抗の時間当たりの変化、あるいは静電容量の時間当たりの変化を検出できるため、荷重検出部１２とタッチセンサ１１を共用して構成することができる。
【図１】
2011102192.tif 000003
【図２】
2011102192.tif 000004
【図３】
2011102192.tif 000005
【図４】
2011102192.tif 000006
【図５】
2011102192.tif 000007
【図６】
2011102192.tif 000008
【図７】
2011102192.tif 000009
【図８】
2011102192.tif 000010
【国際調査報告】
2011102192.tif 000011
2011102192.tif 000012
2011102192.tif 000013
2011102192.tif 000014
2011102192.tif 000015
2011102192.tif 000016
2011102192.tif 000017
2011102192.tif 000018
2011102192.tif 000019